(57)【特許請求の範囲】
【請求項１】
同一のユーザによって使用されている、コード読み取り機能を有する第１の端末装置と第２の端末装置との関連づけを行うクロスデバイス関連づけシステムであって、
前記第２の端末装置から、第２のユーザＩＤを伴った閲覧要求を受け付ける閲覧要求受付手段と、
前記第２のユーザＩＤと遷移先情報を含む読取用コードを、当該第２の端末装置に送信する読取用コード送信手段と、
前記第２の端末装置から前記読取用コードを取得した第１の端末装置から、当該読取用コードに含まれていた第２のユーザＩＤ、遷移先情報を少なくとも含む遷移先閲覧要求を受信する遷移先閲覧要求受信手段と、
前記受信した遷移先閲覧要求が第１のユーザＩＤを伴っていれば、当該第１のユーザＩＤと遷移先閲覧要求に含まれる第２のユーザＩＤとを関連づけ、前記受信した遷移先閲覧要求が第１のユーザＩＤを伴っていなければ、前記第１の端末装置に第１のユーザＩＤを付し、当該第１のユーザＩＤと読取用コードに含まれる第２のユーザＩＤとを関連づける関連づけ手段と、
前記受信した遷移先閲覧要求の遷移先情報に基づいて、前記第１の端末装置を当該遷移先に接続するよう制御する遷移制御手段と、
を備えたクロスデバイス関連づけシステム。
【請求項２】
請求項１のシステムにおいて、
当該システムは、配信サーバ装置と同期サーバ装置とを備えて構成され、
前記配信サーバ装置は、前記閲覧要求受付手段と、前記読取用コード送信手段とを備え、
前記同期サーバ装置は、前記遷移先閲覧要求受信手段と、前記関連づけ手段と、前記遷移制御手段とを備えていることを特徴とするシステム。
【請求項３】
同一のユーザによって使用されている、コード読み取り機能を有する第１の端末装置と第２の端末装置との関連づけを行うために用いられる配信サーバ装置であって、
前記第２の端末装置から、第２のユーザＩＤを伴った閲覧要求を受け付ける閲覧要求受付手段と、
前記第２のユーザＩＤと遷移先情報を含む読取用コードを、当該第２の端末装置に送信する読取用コード送信手段とを備え、
前記読取用コードには、前記第１の端末装置が当該読取用コードを読み取って同期サーバ装置にアクセスするための情報が含まれていることを特徴とする配信サーバ装置。
【請求項４】
同一のユーザによって使用されている、コード読み取り機能を有する第１の端末装置と第２の端末装置との関連づけを行うために用いられる同期サーバ装置であって、
前記第２の端末装置からの閲覧要求を受けて配信サーバ装置から前記第２の端末装置に対して送信された読取用コードを、前記第２の端末装置から読み取った第１の端末装置から、当該読取用コードに含まれていた第２のユーザＩＤ、遷移先情報を少なくとも含む遷移先閲覧要求を受信する遷移先閲覧要求受信手段と、
前記受信した遷移先閲覧要求が第１のユーザＩＤを伴っていれば、当該第１のユーザＩＤと遷移先閲覧要求に含まれる第２のユーザＩＤとを関連づけ、前記受信した遷移先閲覧要求が第１のユーザＩＤを伴っていなければ、前記第１の端末装置に第１のユーザＩＤを付し、当該第１のユーザＩＤと読取用コードに含まれる第２のユーザＩＤとを関連づける関連づけ手段と、
前記受信した遷移先閲覧要求の遷移先情報に基づいて、前記第１の端末装置を当該遷移先に接続するよう制御する遷移制御手段と、
を備えた同期サーバ装置。
【請求項５】
請求項３の配信サーバ装置の機能と請求項４の同期サーバ装置の機能を備えた配信同期サーバ装置。
【請求項６】
請求項１〜５のいずれかのシステムまたは装置において、前記読取用コードは、二次元バーコードであることを特徴とするシステムまたは装置。
【請求項７】
請求項１〜６のいずれかのシステムまたは装置において、
前記関連づけられた第１のユーザＩＤおよび第２のユーザＩＤによって特定されるユーザを、同一ユーザであるとして、第１の端末装置および第２の端末装置に対して情報配信を行う情報配信手段をさらに備えることを特徴とするシステムまたは装置。
【請求項８】
請求項７のシステムまたは装置において、
前記情報配信手段は、第１のユーザＩＤを付されたユーザのアクセス履歴を記録した第１の履歴ＤＢと、第２のユーザＩＤを付されたユーザのアクセス履歴を記録した第２の履歴ＤＢにアクセス可能であり、前記関連づけられた第１のユーザＩＤのアクセス履歴と、第２のユーザＩＤのアクセス履歴の双方を考慮して、配信内容を決定することを特徴とするシステムまたは装置。
【請求項９】
請求項１〜８のいずれかのシステムまたは装置において、
前記第１の端末装置は携帯端末装置であることを特徴とするシステムまたは装置。
【発明の詳細な説明】
【背景技術】
【０００１】
広告配信などを行う場合、CookieなどによってユーザＩＤを付して当該ユーザの閲覧履歴を記録し、この履歴に基づいて広告内容を決定することが行われている。このようにすることにより、当該ユーザの閲覧履歴から推測される属性に合致した広告を配信することができる。
【先行技術文献】
【特許文献】
【０００２】
【特許文献１】特開２００７−１０８９７３
【発明の概要】
【発明が解決しようとする課題】
【０００３】
インターネットに接続できる機器の種類が増加し、一人のユーザが、据え置き型ＰＣ、スマートフォン、タブレットなど異なる種類の機器からアクセスを行うことが日常化している。Cookieなどにおいては、同一ユーザであっても使用する機器が異なると、同じユーザであるとは認識できず、異なるユーザとしてユーザＩＤを付して管理されることになる。
【０００４】
このため、本来は、同一のユーザとして蓄積されるべき履歴情報などが機器ごとに分離され、有効に活用されていないという問題があった。このような問題は、広告配信などの情報配信の場合における履歴情報の収集だけでなく、異なる機器からアクセスしてきたユーザを同一ユーザであると認識する必要がある場合全般にいえることであった。
【０００５】
特許文献１には、ＰＣと携帯端末装置との連携による認証方式が開示されている。しかし、特許文献１には、携帯端末装置を用いてＰＣのユーザの認証を行うというものであり、ＰＣのユーザと携帯端末装置のユーザとを関連づけることを目的とするものではない。
【０００６】
この発明は、上記のような問題点を解決して、異なる機器によってアクセスしてきたユーザを、同一ユーザであるとして関連づけることのできるシステムを提供することを目的とする。
【課題を解決するための手段】
【０００７】
この発明の独立して適用可能ないくつかの特徴を列挙する。
【０００８】
(1)この発明に係るクロスデバイス関連づけシステムは、同一のユーザによって使用されている、コード読み取り機能を有する第１の端末装置と第２の端末装置との関連づけを行うクロスデバイス関連づけシステムであって、前記第２の端末装置から、第２のユーザＩＤを伴った閲覧要求を受け付ける閲覧要求受付手段と、前記第２のユーザＩＤと遷移先情報を含む読取用コードを、当該第２の端末装置に送信する読取用コード送信手段と、前記第２の端末装置から前記読取用コードを取得した第１の端末装置から、当該読取用コードに含まれていた第２のユーザＩＤ、遷移先情報を少なくとも含む遷移先閲覧要求を受信する遷移先閲覧要求受信手段と、前記受信した遷移先閲覧要求が第１のユーザＩＤを伴っていれば、当該第１のユーザＩＤと遷移先閲覧要求に含まれる第２のユーザＩＤとを関連づけ、前記受信した遷移先閲覧要求が第１のユーザＩＤを伴っていなければ、前記第１の端末装置に第１のユーザＩＤを付し、当該第１のユーザＩＤと読取用コードに含まれる第２のユーザＩＤとを関連づける関連づけ手段と、前記受信した遷移先閲覧要求の遷移先情報に基づいて、前記第１の端末装置を当該遷移先に接続するよう制御する遷移制御手段とを備えている。
【０００９】
したがって、ユーザに特別な負担を意識させることなく、ＰＣユーザＩＤとスマートフォンユーザＩＤとを関連づけることができる。
【００１０】
(2)この発明に係るクロスデバイス関連づけシステムは、配信サーバ装置と同期サーバ装置とを備えて構成され、前記配信サーバ装置は、前記閲覧要求受付手段と、前記読取用コード送信手段とを備え、前記同期サーバ装置は、前記遷移先閲覧要求受信手段と、前記関連づけ手段と、前記遷移制御手段とを備えていることを特徴としている。
【００１１】
したがって、関連づけ処理を別のサーバ装置にて行うことができる。
【００１２】
(3)この発明に係る配信サーバ装置は、同一のユーザによって使用されている、コード読み取り機能を有する第１の端末装置と第２の端末装置との関連づけを行うために用いられる配信サーバ装置であって、前記第２の端末装置から、第２のユーザＩＤを伴った閲覧要求を受け付ける閲覧要求受付手段と、前記第２のユーザＩＤと遷移先情報を含む読取用コードを、当該第２の端末装置に送信する読取用コード送信手段とを備え、前記読取用コードには、前記第１の端末装置が当該読取用コードを読み取って同期サーバ装置にアクセスするための情報が含まれていることを特徴としている。
【００１３】
したがって、ユーザに特別な負担を意識させることなく、ＰＣユーザＩＤとスマートフォンユーザＩＤとを関連づけることができる。
【００１４】
(4)この発明に係る同期サーバ装置は、同一のユーザによって使用されている、コード読み取り機能を有する第１の端末装置と第２の端末装置との関連づけを行うために用いられる同期サーバ装置であって、前記第２の端末装置からの閲覧要求を受けて配信サーバ装置から前記第２の端末装置に対して送信された読取用コードを、前記第２の端末装置から読み取った第１の端末装置から、当該読取用コードに含まれていた第２のユーザＩＤ、遷移先情報を少なくとも含む遷移先閲覧要求を受信する遷移先閲覧要求受信手段と、前記受信した遷移先閲覧要求が第１のユーザＩＤを伴っていれば、当該第１のユーザＩＤと遷移先閲覧要求に含まれる第２のユーザＩＤとを関連づけ、前記受信した遷移先閲覧要求が第１のユーザＩＤを伴っていなければ、前記第１の端末装置に第１のユーザＩＤを付し、当該第１のユーザＩＤと読取用コードに含まれる第２のユーザＩＤとを関連づける関連づけ手段と、前記受信した遷移先閲覧要求の遷移先情報に基づいて、前記第１の端末装置を当該遷移先に接続するよう制御する遷移制御手段とを備えている。
【００１５】
したがって、ユーザに特別な負担を意識させることなく、ＰＣユーザＩＤとスマートフォンユーザＩＤとを関連づけることができる。
【００１６】
(5)この発明に係る配信同期サーバ装置は、配信サーバ装置の機能と同期サーバ装置の機能を備えている。
【００１７】
(6)この発明に係るクロスデバイス関連づけシステムにおいて使用する読取用コードは、二次元バーコードであることを特徴としている。
【００１８】
したがって、読取用コードとして二次元バーコードを用いることができる。
【００１９】
(7)この発明に係るクロスデバイス関連づけシステムは、関連づけられた第１のユーザＩＤおよび第２のユーザＩＤによって特定されるユーザを、同一ユーザであるとして、第１の端末装置および第２の端末装置に対して情報配信を行う情報配信手段をさらに備えることを特徴としている。
【００２０】
したがって、関連づけられた第１のユーザおよび第２のユーザを同一人物として、適切な情報配信を行うことができる。
【００２１】
(8)この発明に係るクロスデバイス関連づけシステムは、情報配信手段が、第１のユーザＩＤを付されたユーザのアクセス履歴を記録した第１の履歴ＤＢと、第２のユーザＩＤを付されたユーザのアクセス履歴を記録した第２の履歴ＤＢにアクセス可能であり、前記関連づけられた第１のユーザＩＤのアクセス履歴と、第２のユーザＩＤのアクセス履歴の双方を考慮して、配信内容を決定することを特徴としている。
【００２２】
したがって、第１のユーザＩＤのアクセス履歴と第２のユーザＩＤのアクセス履歴に基づいて、適切な配信内容を決定することができる。
【００２３】
(9)この発明に係るクロスデバイス関連づけシステムは、第１の端末装置は携帯端末装置であることを特徴としている。
【００２４】
したがって、携帯端末装置のユーザとの関連づけを行うことができる。
【００２５】
「閲覧要求受付手段」は、実施形態においては、ステップＳ２による要求を受信する配信サーバ装置２２の機能がこれに対応する。
【００２６】
「読取用コード送信手段」は、実施形態においては、ステップＳ２３がこれに対応する。
【００２７】
「遷移先閲覧要求受信手段」は、実施形態においては、ステップＳ１２による要求を受信する同期サーバ装置２４の機能がこれに対応する。
【００２８】
「関連づけ手段」は、実施形態においては、ステップＳ３３がこれに対応する。
【００２９】
「遷移制御手段」は、実施形態においては、ステップＳ３４がこれに対応する。
【００３０】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００３１】
【図１】この発明の一実施形態によるクロスデバイス関連づけシステムの機能ブロック図である。
【図２】クロスデバイス関連づけシステムのシステム構成図である。
【図３】配信サーバ装置２２のハードウエア構成である。
【図４】関連づけ処理のフローチャートである。
【図５】関連づけ処理のフローチャートである。
【図６】関連づけ処理のフローチャートである。
【図７】ＱＲコード（商標）３４に記載する内容例である。
【図８】ＰＣ４に送信されて表示される画面の一例である。
【図９】スマートフォン２に表示される画面例である。
【図１０】ＰＣユーザＩＤ・ＤＢ１６の例である。
【図１１】スマートフォンユーザＩＤ・ＤＢ１８の例である。
【図１２】関連づけテーブルの例である。
【発明を実施するための形態】
【００３２】
１．クロスデバイス関連づけシステムの機能ブロック図
図１に、クロスデバイス関連づけシステム２０の機能ブロック図を示す。閲覧要求受付手段６は、第２の端末装置４からの閲覧要求を受け付ける。読取用コード送信手段８は、閲覧要求に含まれる第２の端末装置のユーザＩＤ（第２のユーザＩＤ）と遷移先情報を含む読取用コードを生成し、第２の端末装置４に送信する。
【００３３】
第２の端末装置４は、受信した読取用コードを表示するなどして出力する。第１の端末装置２は、この読取用コードを撮像するなどして取り込む。第１の端末装置２は、読取用コードに含まれていた第２のユーザＩＤ、遷移先情報を含む遷移先閲覧要求をクロスデバイス関連づけシステム２０に送信する。
【００３４】
遷移先閲覧要求受信手段１０は、この遷移先閲覧要求を受信する。関連づけ手段１２は、受信した遷移先閲覧要求が第１の端末装置のユーザＩＤ（第１のユーザＩＤ）を伴っているかどうかを判断する。第１のユーザＩＤを伴っていれば、この第１のユーザＩＤと遷移先閲覧要求に含まれる第２のユーザＩＤとを関連づける。これにより、第１のユーザＩＤ・ＤＢ１６と第２のユーザＩＤ・ＤＢ１８に記録されている、第１のユーザＩＤの属性と第２のユーザＩＤの属性とを紐付けることができる。
【００３５】
遷移先閲覧要求が第１のユーザＩＤを伴っていなければ、関連づけ手段１２は、新たに第１のユーザＩＤを生成し、この第１のユーザＩＤと遷移先閲覧要求に含まれる第２のユーザＩＤとを関連づける。したがって、第１のユーザＩＤについて今後蓄積される属性と、第２のユーザＩＤの属性とを紐付けることができる。
【００３６】
遷移制御手段１４は、遷移先閲覧要求に含まれる遷移先情報に基づいて、第１の端末装置２を、遷移先に接続する。これにより、第１の端末装置２から、遷移先コンテンツの閲覧を行うことができる。
【００３７】
以上のように、利用者にとっては、第１の端末装置２に読取用コードを取り込んで、遷移先のコンテンツを閲覧するという自然な処理でありながら、システム側において、第１のユーザＩＤと第２のユーザＩＤを関連づけることができる。
【００３８】
２．ハードウエア構成
図２に、システム構成の一例を示す。この例では、第２の端末装置としてＰＣ４、第１の端末装置としてスマートフォン２を用いている。また、クロスデバイス関連づけシステム２０は、配信サーバ装置２２と同期サーバ装置２４を備えて構成されている。なお、この例では、配信サーバ装置２２は、閲覧要求受付手段６、読取用コード送信手段８を備えており、同期サーバ装置２４は、遷移先閲覧要求受信手段１０、関連づけ手段１２、遷移制御手段１４を備えている。スマートフォン２、ＰＣ４ともに、インターネットを介して、配信サーバ装置２２、同期サーバ装置２４と通信することができる。
【００３９】
図３に、配信サーバ装置２２、同期サーバ装置２４のハードウエア構成を示す。配信サーバ装置２２について、ＣＰＵ２２０には、メモリ２２２、ディスプレイ２２４、ハードディスク２２６、ＤＶＤ−ＲＯＭドライブ２２８、通信回路２３０が接続されている。通信回路２３０は、インターネットに接続するための回路である。
【００４０】
ハードディスク２２６には、オペレーティングシステム２３２、配信サーバプログラム２３４が記録されている。配信サーバプログラム２３４は、オペレーティングシステム２３２と協働してその機能を発揮するものである。これらプログラムは、ＤＶＤ−ＲＯＭ２３６に記録されていたものを、ＤＶＤ−ＲＯＭドライブ２２８を介して、ハードディスク２２６にインストールしたものである。
【００４１】
同期サーバ装置２４のハードウエア構成も同様である。ただし、ハードディスク２４６には、配信サーバプログラム２３４に代えて、同期サーバプログラム２５４が記録されている。
【００４２】
３．関連づけ処理
図４〜図６に、関連づけ処理におけるＰＣ４のブラウザプログラム、スマートフォン２のブラウザプログラム、配信サーバ装置２２の配信サーバプログラム２３４、同期サーバ装置２４の同期サーバプログラム２５４のフローチャートを示す。
【００４３】
この実施形態では、配信サーバ装置２２は、訪れたＰＣのブラウザプログラムのCookieを利用してユーザＩＤを記録し、当該ユーザＩＤによってユーザを特定するようにしている。また、Cookieの記録内容に基づいて、いずれのサイトに訪れているかというユーザの属性を取得して、ＰＣユーザＩＤ・ＤＢ１６に記録するようにしている。
【００４４】
図１０に、配信サーバ装置２２のハードディスク２２６に記録されたＰＣユーザＩＤ・ＤＢ１６を示す。この実施形態では、Cookieに記録したＰＣユーザＩＤに対応付けて、当該ユーザの訪れたサイトの傾向をサイト分類（ニュースサイト、食品ショッピングサイト、被服ショッピングサイト、ゲームサイトなどの分類）によって記録している。これは、Cookieによって当該ユーザの訪れたサイトの分類を取得し、その比率を記録したものである。たとえば、「987654321」のＰＣユーザＩＤが付されたユーザは、分類Ａのサイトに１２％、分類Ｂのサイトに２５％、分類Ｃのサイトに９％の割合で訪問していることが分かる。
【００４５】
また、スマートフォン２についても、上記と同じように、Cookieを利用してユーザＩＤを記録し、当該ユーザＩＤによってユーザを特定するようにしている。Cookieの記録内容に基づいて、いずれのサイトに訪れているかというユーザの属性を取得して、スマートフォンユーザＩＤ・ＤＢ１８に記録するようにしている。図１１に、配信サーバ装置２２のハードディスク２２６に記録されたスマートフォンユーザＩＤ・ＤＢ１８を示す。
【００４６】
ユーザの操作により、ＰＣ４（のブラウザプログラム）が、広告枠を設置したウエブページを訪問したとする（ステップＳ１）。これにより、ＰＣ４のディスプレイには、当該ウエブページとともに広告が表示される。具体的には、次のような手順にて、広告が表示されることになる。
【００４７】
当該ウエブページの内容を記述したＨＴＭＬデータにおいて、広告枠の部分は、配信サーバ装置２２からの指示にしたがって、内容を表示するようにＪＡＶＡＳＣＲＩＰＴ（商標）などの記述がなされている。したがって、ＰＣ４は、このＪＡＶＡＳＣＲＩＰＴ（商標）にしたがって、配信サーバ装置２２に対して、広告内容を配信するように要求する（ステップＳ２）。
【００４８】
これを受けた配信サーバ装置２２のＣＰＵ２２０（以下、配信サーバ装置２２ということがある）は、CookieにＰＣ４のユーザＩＤ（ＰＣユーザＩＤ）があるかどうかを判断する（ステップＳ２１）。ユーザＩＤがなければ、このＰＣ４のユーザは初めての訪問ということになるので、Cookieに新たにユーザＩＤを設定する。さらに、広告内容をＰＣ４に送信する（図４においては省略している）。
【００４９】
ユーザＩＤがあれば、配信サーバ装置２２は、ＰＣユーザＩＤ、予め定めた遷移先ＵＲＬ、同期サーバＵＲＬ（同期サーバプログラムのＵＲＬ）を含むＱＲコード（商標）を生成する（ステップＳ２２）。図７に、ＱＲコード（商標）の内容例を示す。http://sample.domain.net/DeviceSyncSample/Sync.aspxの部分が、同期サーバのＵＲＬである。pcid=0123456789abcdef0987654321の部分が、ＰＣ４のユーザＩＤを示している。lp=http%3a%2f%2fwww%2ekccs%2eco%2ejp%2fkanade%2fが、遷移先ＵＲＬを示している。
【００５０】
続いて、配信サーバ装置２２は、ハードディスク２２６に記録していた広告内容に、上記にて生成したＱＲコード（商標）を重ねた上、ＰＣ４に送信する（ステップＳ２３）。
【００５１】
これを受信したＰＣ４は、広告内容・ＱＲコード（商標）を所定ページのコンテンツとともに表示する（ステップＳ３）。図８に、その表示例を示す。所定ページのコンテンツ３０に、広告内容３２が表示されている。広告内容の一部にＱＲコード（商標）３４が表示されている。また、この実施形態では、ＱＲコード（商標）３４をスマートフォンで撮像するように促すメッセージ３６も表示するようにしている。
【００５２】
ＰＣ４のユーザが、スマートフォン２のＱＲコード（商標）読み取りプログラムを起動して、内蔵のカメラによって、ＰＣ４に表示されたＱＲコード（商標）３４を読み取ったとする（ステップＳ１１）。これにより、スマートフォン２は、ＱＲコード（商標）３４に含まれている、ＰＣユーザＩＤ、遷移先ＵＲＬ、同期サーバＵＲＬを抽出する。さらに、抽出した同期サーバＵＲＬに基づいて、同期サーバ２４の同期サーバプログラムを起動するよう、同期サーバ２４にアクセスする（ステップＳ１２）。
【００５３】
このアクセスは、最終的には、遷移先のコンテンツを要求するものであるが、この実施形態では、まず、同期サーバ装置２４にアクセスした後に、遷移先に遷移するようにしている。このアクセスにおいて、スマートフォン２は、ＰＣユーザＩＤ、遷移先ＵＲＬを伴ったアクセスを行う。
【００５４】
上記のアクセス（遷移先閲覧要求）を受けて、同期サーバ装置２４のＣＰＵ２４０（以下、同期サーバ装置２４と省略することがある）は、Cookieにスマートフォン２のユーザＩＤがあるかどうかを判断する（ステップＳ３１）。Cookieにスマートフォン２のユーザＩＤがなければ、同期サーバ装置２４は、Cookieに新たにユーザＩＤを設定する（ステップＳ３２）。また、同期サーバ装置２４は、このユーザＩＤをスマートフォンユーザＩＤ・ＤＢ１８（図１１参照）に記録する。その後、ステップＳ３３以下を実行する。
【００５５】
Cookieにスマートフォン２のユーザＩＤがあれば、既に、スマートフォンユーザＩＤ・ＤＢ１８に履歴が記録されているユーザである。同期サーバ装置２４は、上記スマートフォン２からのアクセス時に取得したＰＣユーザＩＤと、Cookieによって取得したスマートフォンユーザＩＤとを関連づける（ステップＳ３３）。具体的には、ＰＣユーザＩＤとスマートフォンユーザＩＤを関連テーブルに記録する。
【００５６】
図１２に、関連づけテーブルの例を示す。関連づけられたＰＣユーザＩＤとスマートフォンユーザＩＤが記録されている。なお、この関連づけテーブルは、配信サーバ装置２２、同期サーバ装置２４のいずれに記録してもよい。ただし、このテーブルの使用を希望する装置（この実施形態では配信サーバ装置２２）からアクセス可能であるようにすることが好ましい。
【００５７】
以上のようにして、関連づけテーブルにより、ＰＣユーザＩＤ・ＤＢ１６のＰＣユーザＩＤと、スマートフォンユーザＩＤ・ＤＢ１８のスマートフォンユーザＩＤとを、同一人物であるとして関連づけることができる。
【００５８】
次に、同期サーバ装置２４は、スマートフォン２から受信した遷移先ＵＲＬにリダイレクトするように、スマートフォン２を制御する（ステップＳ３４）。スマートフォン２は、これを受けて、遷移先ＵＲＬにリダイレクトする（ステップＳ１３）。これにより、スマートフォン２のディスプレイには、遷移先のコンテンツが表示されることになる（ステップＳ１４）。この実施形態では、遷移先としてクーポンを表示するようにしている。図９に、クーポンの表示例を示す。
【００５９】
以上の、同期サーバ装置２４による関連づけ処理やリダイレクト処理は迅速に行われるので、ユーザは、図８のＱＲコード（商標）３４をスマートフォン２で撮像すれば、図９のクーポンを得ることができる、という点を認識することになる。
【００６０】
以上のようにして、同一人のＰＣユーザＩＤとスマートフォンユーザＩＤを関連づけることができる。これにより、今まで、ＰＣユーザＩＤにて管理・記録していた閲覧履歴情報と、スマートフォンユーザＩＤにて管理・記録していた閲覧履歴情報を、同一人について統合して用いることができる。たとえば、ＰＣユーザの履歴が豊富であり、スマートフォンユーザの履歴が貧弱であっても、ＰＣユーザの履歴情報に基づいて、この履歴情報に適した広告を、ＰＣ４だけでなくスマートフォン２にも送信することができる（ステップＳ２４）。
【００６１】
また、ＰＣ４とスマートフォン２の双方の履歴を総合して、適した広告を配信するようにしてもよい。なお、配信サーバ装置２２による広告の配信は、直接行ってもよいし、アド・エクスチェンジのような入札システムを利用してもよい。入札システムを利用する場合には、上記関連付けられた履歴に基づいて、広告に対するユーザの適否を判断し、入札額を決定することができる。
【００６２】
４．その他
(1)上記実施形態においては、ＰＣ４のディスプレイに表示されたＱＲコード（商標）を、スマートフォン２によって撮像するようにしている。しかし、ＱＲコード（商標）以外のコード（バーコードなど）を表示するようにしてもよい。また、ＰＣ４のディスプレイに、ＰＣユーザＩＤ等を埋め込んだ電子透かし画像を表示し、これをスマートフォン２で読み取って、ＰＣユーザＩＤ等を取得するようにしてもよい。
【００６３】
(2)上記実施形態では、ＱＲコード（商標）を撮像することで、スマートフォン２がＰＣユーザＩＤ等を取得している。しかし、Wifi（商標）やBluetooth（商標）などの無線通信や、音声（超音波）などによって、スマートフォン２がＰＣユーザＩＤ等を取得するようにしてもよい。この場合、ＰＣ４は、スマートフォンを近づけてくださいなどのアナウンス画面や音声を出力することが好ましい。
【００６４】
(3)上記実施形態では、ＰＣ４のＰＣユーザＩＤが取得できない場合（ステップＳ２１）、関連づけ処理を行っていない。しかし、Cookieに新たにＰＣユーザＩＤを設定した後、ステップＳ２２以下を実行するようにしてもよい。これにより、ＰＣ４のＰＣユーザＩＤが取得できない場合も、関連づけを行うことができる。
【００６５】
(4)上記実施形態では、第１の端末装置としてスマートフォン２、第２の端末装置としてＰＣ４を用いた場合について説明した。しかし、第１の端末装置、第２の端末装置のいずれにおいても、スマートフォン、ＰＣ、タブレットコンピュータ、携帯電話、ＰＤＡなどの任意の組合せにて用いることができる。
【００６６】
(5)上記実施形態では、配信サーバ装置２２と同期サーバ装置２４によって関連づけシステムが構築されている。しかし、配信サーバ装置２２と同期サーバ装置２４を、一のサーバ装置によって構成するようにしてもよい。
【００６７】
(6)上記実施形態では、広告を配信する場合について説明した。しかし、ニュースなどその他の情報を配信する場合についても適用できる。
【００６８】
(7)上記実施形態では、第１の端末装置のユーザＩＤと第２の端末装置のユーザＩＤを関連づけることにより、これらユーザＩＤに対応づけてＤＢに記録されている閲覧履歴情報を有効に利用するようにしている。しかし、ユーザＩＤに対応づけて記録されている年齢、性別などの属性情報を利用するようにしてもよい。また、上記のようなＤＢがない場合であっても、単に、第１の端末装置のユーザＩＤと第２の端末装置のユーザＩＤを関連づけることにより、双方に情報を配信するなどで利用してもよい。
【要約】
【課題】  異なる機器によってアクセスしてきたユーザを、同一ユーザであるとして関連づけることのできるシステムを提供する。
【解決手段】
読取用コード送信手段８は、第２の端末装置４からの閲覧要求に含まれる第２の端末装置のユーザＩＤ（第２のユーザＩＤ）と遷移先情報を含む読取用コードを生成し、第２の端末装置４に送信する。第２の端末装置４は、受信した読取用コードを表示するなどして出力する。第１の端末装置２は、この読取用コードを撮像するなどして取り込む。第１の端末装置２は、読取用コードに含まれていた第２のユーザＩＤ、遷移先情報を含む遷移先閲覧要求をクロスデバイス関連づけシステム２０に送信する。遷移先閲覧要求受信手段１０は、この遷移先閲覧要求を受信する。関連づけ手段１２は、第１のユーザＩＤと遷移先閲覧要求に含まれる第２のユーザＩＤとを関連づける。
【選択図】  図１【図１】
0006035412.tif 000002
【図３】
0006035412.tif 000003
【図４】
0006035412.tif 000004
【図５】
0006035412.tif 000005
【図６】
0006035412.tif 000006
【図７】
0006035412.tif 000007
【図９】
0006035412.tif 000008
【図１０】
0006035412.tif 000009
【図１１】
0006035412.tif 000010
【図１２】
0006035412.tif 000011
【図２】
0006035412.tif 000012
【図８】
0006035412.tif 000013